(57)【要約】【課題】太陽光パネルと、表示装置と、太陽光パネルで発電した電力を蓄積する蓄電池ユニットを備えた表示システムの小型化を図る。【解決手段】太陽光パネルと、表示装置と、太陽光パネルを支持する支持部材と、支持部材内に設けられ、表示装置を収納する収納部と、支持部材を構成し、太陽光パネル及び収納部を支持する支柱と、前記収納部内で表示装置の背面側に配備され、太陽光パネルで発電した電力を蓄電すると共に、表示装置へ電力を供給する蓄電池ユニットと、を備える。【選択図】図２
2012255817.tif 000002
【特許請求の範囲】
【請求項１】
太陽光パネルと、
表示装置と、
太陽光パネルを支持する支持部材と、
支持部材内に設けられ、表示装置を収納する収納部と、
支持部材を構成し、太陽光パネル及び収納部を支持する支柱と、
前記収納部内で表示装置の背面側に配備され、太陽光パネルで発電した電力を蓄電すると共に、表示装置へ電力を供給する蓄電池ユニットと、を備えることを特徴とする表示システム。
【請求項２】
前記収納部内の下部に設けられ、表示装置及び蓄電池ユニットを冷却するための送風を行う送風部と、
前記収納部内の上部に設けられ、表示装置及び蓄電池ユニットの熱を排気するための排気部と、更に備えることを特徴とする、請求項１記載の表示システム。
【請求項３】
収納部の前面側に設けられ、開閉可能な第１ドア部材と、
収納部の後面側に設けられ、上側を支点として開閉可能な第２ドア部材とを備え、
第２ドア部材は、排気部からの排気を排出するための開口を備えることを特徴とする、請求項２記載の表示システム。
【発明の詳細な説明】
【技術分野】
【０００１】
本発明は、表示装置を備えた表示システムに関する。
【背景技術】
【０００２】
近年、デジタルサイネージと呼ばれる、屋外等に配置され、広告や様々な情報を表示する大型の表示装置が普及しつつある（特許文献１、２など）。これらは主に電力系統から供給される電力により動作する。
【先行技術文献】
【特許文献】
【０００３】
【特許文献１】特開２００９−２９４２８４号公報
【特許文献２】特開２００９−２９６１０５号公報
【発明の概要】
【発明が解決しようとする課題】
【０００４】
また、出願人は、太陽電池を備えた表示システムをデジタルサイネージ用に開発中である（例えば、特願２０１０−１４７７７５（２０１０年６月３日出願）、特願２０１０−２６６３３３（２０１０年１１月３０日出願））。このシステムでは、表示装置（大型モニタ）の上部に太陽電池を設け、表示装置と太陽電池が一体化した構成となっている。また、該システムでは、昼間に太陽電池で発電した電力を夜間に利用できるよう、蓄電池ユニットも搭載している。
【０００５】
しかし、昼間に太陽電池で充電した電力を夜間に利用できるようにするには、容量の大きな蓄電池ユニットが必要になる。そうすると、表示システムが大型化するという問題がある。
【０００６】
そこで、本発明は、係る問題を解決することを目的とする。
【課題を解決するための手段】
【０００７】
本発明の表示システムは、太陽光パネルと、表示装置と、太陽光パネルを支持する支持部材と、支持部材内に設けられ、表示装置を収納する収納部と、支持部材を構成し、太陽光パネル及び収納部を支持する支柱と、前記収納部内で表示装置の背面側に配備され、太陽光パネルで発電した電力を蓄電すると共に、表示装置へ電力を供給する蓄電池ユニットと、を備えることを特徴とする。
【発明の効果】
【０００８】
本発明によれば、太陽電池及び蓄電池ユニットを備えた表示システムの小型化を図ることができる。
【図面の簡単な説明】
【０００９】
【図１】表示システム１（又は６）を前面側からみたときの図である。
【図２】表示システム１を右方からみたときの断面図である。
【図３】表示システム１を背面側からみたときの図である。
【図４】表示システム６を右方からみたときの断面図である。
【図５】表示システム６を背面側からみたときの図である。
【図６】表示システム６の表示装置１００を前面側からみたときの図である。
【図７】表示装置１００を背面側からみたときの図である。
【図８】表示装置１００を前面側からみたときの分解斜視図である。
【発明を実施するための形態】
【００１０】
（第１の実施形態）
図１〜図３を参照して、本発明の第１実施形態である表示システム１を説明する。
【００１１】
図１は、表示システム１を前面側からみたときの図である。表示システム１は、大きくは先ず、太陽光パネルユニット３と、太陽光パネルユニット３を地面に対して支持するための支持部材２を備える。
【００１２】
太陽光パネルユニット３は、４枚の太陽光パネル３１Ａ、３１Ｂ、３１Ｃ、３１Ｄ、アンテナ部３２、及びこれらを支える架台３０からなる。い支持部材２は、主に支柱２０Ｌ、２０Ｒにより、太陽光パネルユニット３を下方から支える。また、支持部材２は、表示装置１０や蓄電池ユニットを収納するための収納部も備える。なお、支柱２０は、ステンレスにより外装される。
【００１３】
アンテナ部３２は、例えば地上波デジタル放送や衛星放送を受信する機能、遠隔地と無線通信を行うための電波を送受信する機能を備える。これにより表示装置１０は、地上波デジタル放送を表示したり、ＷｉＭａＸ等の無線通信により送信される映像コンテンツを表示したりすることができる。本表示システムでは、アンテナ部３２を太陽光パネルユニット３の架台３０上に固定した点が特徴となっている。この位置にアンテナを配置すれば、太陽光パネルユニット３の影となる位置に配備する場合に比べて良好な通信が可能となるし、また、アンテナを別体とする場合に比べて表示システム１全体の大きさを小型化できる。
【００１４】
そして、太陽光パネル３１Ａ、３１Ｂ、３１Ｃ、３１Ｄは、アンテナ３２を包囲するように配置される。その結果、図１に示すように、架台３０上には４枚のパネルと１つのアンテナがあたかも４畳半（日本の和室）の畳部屋のごとき配置となっている。
【００１５】
なお、太陽光パネルユニット３及びアンテナ部３２は実際には正方形状となっている。同図では横方向が長い長方形上に記述されているが、これは、図２で示すように、太陽光パネル等が、地面に対して所定の角度で配置されている為、正面図で表現した場合、奥行方向が短く描画されてしまうことに起因する。
【００１６】
図２は、表示システム１を右方からみたときの断面図である。以下、図１では説明しなかった構成を中心に述べる。支持部材２は、前面側ドア部材２１、背面側ドア部材２２、表示装置１０を収納するための収納部２４を備える。また、収納部２４には表示装置１０の背面側に蓄電池ユニット５０を収納することもできる。例えば、収納部２４は、表示装置１０を収納する第１収納部と、蓄電池ユニット５０を収納する第２収納部に分かれた構成である。
【００１７】
なお、表示システム１を左方からみたときの断面図は、左右逆転した配置となっている以外は図２と同じである。
【００１８】
前面側ドア部材２１は、支持部材２の上端付近を支点として開閉可能である。前面側ドア部材２１を閉鎖した時は表示装置１０が密閉状態で収納部２４に収納される状態となる。一方、前面側ドア部材２１を開放したときは、収納部２４が外気に晒される状態となるが。例えば表示装置１０のメンテナンスを行う場合、収納部２４を清掃する場合、並びに収納部２４の部品（例えば電気回路や後述するファンなど）を修理あるいは交換する場合には、前面側ドア部材２１は開放される。また、支持部材２の上端を支点として開閉するので、メンテナンスにより前面側ドア部材２１を開放しても、ドア部材２１自身が屋根代わりになるので、収納部２４内部の機材に雨が降り込みにくくなり、機材の破損を防ぐことができる。また、雨天時に作業員がメンテナンスを行う場合に雨に濡れなくて済むというメリットもある。
【００１９】
また、前面側ドア部材２１には、表示装置１０が固定される。つまり、前面側ドア部材２１の開閉に合わせて表示装置も動く。前面側ドア部材２１を開放した場合、表示装置１０の裏面からの修理作業等が容易になる。また、前面側ドア部材２１下面には開閉キーロック機構を備えている。
【００２０】
背面側ドア部材２２は、支持部材２の上端付近を支点として開閉可能である。背面側ドア部材２２を閉鎖した時は蓄電池ユニット５０が密閉状態で収納部２４に収納される状態となる。一方、背面側ドア部材２２を開放したときは、収納部２４の蓄電池ユニット５０が外気に晒される状態となる。これにより蓄電池ユニット５０のメンテナンスを行うことができる。また、支持部材２の上端を支点として開閉するので、メンテナンスにより背面側ドア部材２２を開放しても、ドア部材２２自身が屋根代わりになるので、収納部２４内部の機材に雨が降り込みにくくなり、機材の破損を防ぐことができる。また、屋根代わりになることで、雨天時に作業員がメンテナンスを行う場合に雨に濡れなくて済む。
【００２１】
収納部２４の下部には、送風ファン１３Ａ、１３Ｂ等が配備される。これらのファンは吸気口から吸入された空気を、表示装置１０や蓄電池ユニット５０へ送風する。吸気口は図１、図２では明確に図示されていないが、収納部２４の下方に設けられ、この収納部２４、支柱２０Ｌ、支柱２０Ｒで囲まれる、収納部２４下方の空間の空気を取り入れるためのものである。送風ファン１３Ａ、１３Ｂで発生した風は、それぞれ表示装置１０の裏面、蓄電池ユニット５０を通過し、これらで発生した熱を収納部２４の上部に設けられた排気ファン１４を介して外部に排出される。排気口は後でも述べるが、背面側ドア部材２２に設けられる。また、図２では、送風ファン１３Ａ、１３Ｂのみを図示しているが、収納部２４の左側（支柱２０Ｌ側）にもこれと同様の送風ファンが２個設けられる。同様に支柱２０Ｌ側にも排気ファン１４と同様のファンが設けられる。
【００２２】
収納部２４の下部には、防水スピーカ１７が設けられている。スピーカ１７からの音は、収納部２４、支柱２０Ｌ、支柱２０Ｒで囲まれる、収納部２４下方の空間に放出される。
【００２３】
また蓄電池ユニット５０は、バッテリ１１１、１２１、保護ユニット１２２、逝去ユニット１１２などがある。蓄電池ユニット５０の構成は後で詳述する。
【００２４】
また、支持部材２の上方には太陽光パネルユニット３の架台３０を固定するための土台２５が設けられる。この土台は重量物である太陽光パネルユニット３を保持できるよう、強固な構成となっている。
【００２５】
図３は、表示システム１を背面側からみたときの図である。本図は、背面側ドア部材２２が開放されたときの状態である。
【００２６】
支柱２０Ｌ、２０Ｒの下部にはそれぞれアンカー２６Ｌ、２６Ｒがある。表示システム１を設置する場合、まず、アンカーが地中に埋め込まれ、次にボルトが挿入され、このボルトが支柱下部のねじ穴にねじ込まれる。この手順により、表示システム１が設置される。
【００２７】
上述したように、収納部２４には、バッテリユニット５０が収納される。このバッテリユニットは前後方向に２段のフレーム形式で構成されている。背面側のフレーム１１０には、バッテリ１１１、制御ユニット１１２、バッテリ１１３、保護ユニット１１４が収納される。尚、バッテリ１１１、制御ユニット１１２は、図１で示したそれと一致するものである。一方、図３では、背面側のフレーム１１０に隠れた位置となるので図示していないが、前面側のフレーム１２０には、バッテリ１２１、保護ユニット１２２などが収納される。
【００２８】
なお、上記のバッテリとは例えばリチウムイオンバッテリであり、保護ユニット１１４は、バッテリを保護するものである。
【００２９】
また、制御ユニット１１２は、電力供給制御を行う。具体的に説明すると、上述したように表示システム１では、昼間は太陽光パネルユニット３で発電した電力を用いて表示装置１０を駆動すると共に、余剰電力を蓄電池ユニット５０の各バッテリに蓄電する。そして、夜間は各バッテリに蓄電した電力を用いて表示装置１０を駆動するという動作を基本とする。即ち商用電源は使用しないことを基本とする。但し、表示装置１０、太陽光パネルユニット３、蓄電池ユニット５０によっては、商用電源を使用する必要が生じることもある。よって、制御ユニット１１２は、表示装置１０での消費電力、蓄電池ユニット５０の蓄電可能容量、太陽光パネルユニット３の発電容量、並びに供給される商用電源を加味して電力制御を行う。
【００３０】
また、背面側ドア部材２２には、開口２２１Ｒ、２２１Ｌが設けられている。背面側ドア部材２２を閉じた状態とした場合、これらの開口は排気口（排気ファン１４等）と対向する位置に来るようになっている。
【００３１】
以上、表示システム１の構成を説明した。表示システム１によれば、以下の利点を有する。
【００３２】
（１）蓄電池ユニット５０を表示装置１０の背面に配置する構成としたので、表示システム１の小型化を実現する。
【００３３】
（２）送風ファン１３Ａ、１３Ｂにより、表示装置１０と蓄電池ユニット５０の両方を効率的に冷却する。
【００３４】
（３）表示装置１０を前面側ドア部材２１に固定したので、表示装置１０のメンテナンスが容易となる。
【００３５】
（４）前面側ドア部材２１、背面側ドア部材２２は、上側を支点として開閉する構成としているので、雨天時に作業員がメンテナンス作業でドアを開放しても内部の記載が雨に濡れることが無い。
【００３６】
（５）前面側ドア部材２１、背面側ドア部材２２は、上側を支点として開閉する構成としているので、雨天時に作業員がメンテナンス作業等する場合でも雨に濡れることが無い。
【００３７】
（６）表示装置１０、蓄電池ユニット５０を収納する収納部２４が支柱２０により（地面から）高い位置で保持され、収納部２４に空間ができる構成となるので、車椅子使用者が表示装置１０に接近しやすくなる。特に表示装置１０がタッチパネル等の入力機能を備えるものである場合、車椅子利用者にとってユーザビリティが向上する。
【００３８】
（７）同様に表示装置１０、蓄電池ユニット５０等が地面から高い位置で保持されるので、洪水時でも表示装置１０、蓄電池ユニット５０が浸水することが無いので、洪水時においても表示装置１０等が破損することなく、警報や、情報の伝達を継続することができる。
【００３９】
（８）太陽光発電の効率を最大にすべく、太陽光パネルユニット３の配置方位を、表示画面方向に対して自由に変更できるような構成を採用する場合にメリットがある。太陽光パネル３１Ａ〜Ｄがアンテナ３２を包囲する配置（所謂、４畳半型の配置）としたので、太陽光発電部がほぼ正方形の投影形状となり、その最大設置寸法が最小にできるからである。これにより、太陽光パネルユニット３の配置方位を様々に変更しても、美観が低下することを回避でき、また、重量物である太陽光パネルユニット３が表示装置１０の上に搭載されたことに伴う重心の変動を抑えることができる。
【００４０】
（第２の実施形態）
図１及び、図４〜図８を参照して、本発明の第２実施形態である表示システム６を説明する。なお、表示システム６の説明において、第１実施形態の表示システム１と同じ構成、機能に関する部分については詳細な説明を省略する。
【００４１】
先ず、表示システム６を前面側からみたときの外観構成は、第１実施形態の表示システム１とほぼ同じであるため、図１を援用して説明する。
【００４２】
太陽光パネルユニット３’の構成は、表示システム１と比較して、中央部にはアンテナ３２に代えてカバー部材３８があり、アンテナ３５はそのカバー部材３８の下方に配備される点で相違する。ここで、カバー部材３８は、電波透過素材で構成される。衛星アンテナは、その方式によって、個別の設置方位角、迎角がある。よって、中央の正方形状のカバー部材３８の下に、市販のアンテナを自由に設置できるようにすることで、アンテナの保護と共に、外観が整理され、景観性の向上と、清掃が容易となるメリットがある。
【００４３】
次に太陽光パネルユニット３を支持する支持部材７であるが、前面側からみたときの外観構成は支持部材２とほぼ同じだが、内部構成が若干異なる。それゆえ、第１実施形態とは異なる符号を付している。支柱７０Ｌ、７０Ｒとしているのも同様の理由である。
【００４４】
図４は、表示システム６を右方からみたときの断面図である。第１実施形態の支持部材２と同様、支持部材７は、前面側ドア部材７１、背面側ドア部材７２、表示装置１００を収納するための収納部７４を備える。表示システム６を左方からみたときの断面図は、左右逆転した配置となっている以外は図４と同じである。
【００４５】
前面側ドア部材７１は、第１実施形態の前面側ドア部材２１と同様の構成、機能であるが、前面側ドア部材２１とは異なり、表示装置が固定されない点で相違する。つまり、図４のごとく、表示装置１００は、収納部７４内に固定された状態で設置される。
【００４６】
表示装置１００は、第１実施形態の表示装置１０とは構成が異なる。詳細な構成については、図６〜８を参照して後で説明する。
【００４７】
また、蓄電池ユニット５０’は、第１実施形態と同様、表示装置の背面側に配置される。後で詳細に説明するが、構成は第１実施形態の蓄電池ユニット５０とは異なる。
収納部７４の下部には、送風ファン６３が配備され、第１実施形態と同様、表示装置１００や蓄電池ユニット５０’へ送風する。また、収納部７４の下部には、防水スピーカ６７が設けられる。
【００４８】
図５は、表示システム６を背面側からみたときの図である。本図は、背面側ドア部材７２が開放されたときの状態である。
【００４９】
バッテリユニット５０’は上下方向に２段のフレーム形式で構成されている。例えば下側のフレーム１５０には、６つのバッテリと２つの制御ユニットが収納される。同様に上側のフレーム１６０には、６つのバッテリと２つの制御ユニットが収納される。
【００５０】
また、背面側ドア部材７２には、開口７２１Ｒ、７２１Ｌが設けられている。開口の機能は第1実施形態の開口２２１Ｒ、２２１Ｌと同様だが、その形状や配置が異なっている。これは、収納部７４内における冷却構造が収納部２４とは異なることに起因するものである。
【００５１】
次に、表示装置１００の構成を図６〜８を参照して説明する。図６は、表示装置１００を前面側から見た斜視図である。図７は、表示装置１００を背面側から見た斜視図である。図８は、表示装置１００を前面側から見た分解斜視図である。
【００５２】
先ず、表示装置１００は筐体１０２を備えている。この筐体１０２は、図８を参照して、前面側のフロントキャビネット２１０と、背面側のバックキャビネット２２０を互いに接合して構成される。また、筐体１０２の内部には、液晶表示パネル１０１と、該液晶表示パネル１０１を制御する回路基板（図示せず）が収容されている。該回路基板は、液晶表示パネル１０１の背面に設置される。
【００５３】
液晶表示パネル１０１の前面には、該パネルを保護するためのガラス板１２２が配備される。また、ガラス板１２２の前面又は背面側には静電容量式のシート状のタッチパネルが設けられている。
【００５４】
筐体１０２の背部には、背面側から見て右側に吸気部１０３が設けられる。吸気部１０３は、その開口端部１３０を右側方へ向けた姿勢を有し、３つの吸気ファン１７１Ａ、１７１Ｂ、１７１Ｃを備えている。
【００５５】
また、筐体１０２の背部には、背面側から見て左側に排気部１０４が設けられている。排気部１０４は、その開口端部１４０を左側方へ向けた姿勢を有し、３つの排気ファン１７２Ａ、１７２Ｂ、１７２Ｃを備える。
【００５６】
そして、筐体１０２の内部には、吸気部１０３から排気部１０４に達する流路が、液晶表示パネル１０１とガラス板１２２の間に設けられている。これにより、日光の照射等により温度上昇する液晶表示パネル１０１の前面を冷却することができる。
【００５７】
以上、本発明における実施の形態について説明したが、本発明の範囲はこれに限定されるものではなく、発明の主旨を逸脱しない範囲で種々の変更を加えて実行することができる。
【００５８】
例えば、第２実施形態の表示システム６は、特に表示装置１００の構成、及びアンテナ３８の配置の両方が第１実施形態の表示システム１と異なっているが、これは説明の便宜上のものであって、いずれか一方のみが第１実施形態と異なる構成でも良い。
【図１】
2012255817.tif 000003
【図２】
2012255817.tif 000004
【図３】
2012255817.tif 000005
【図４】
2012255817.tif 000006
【図５】
2012255817.tif 000007
【図６】
2012255817.tif 000008
【図７】
2012255817.tif 000009
【図８】
2012255817.tif 000010